(57)【要約】    【課題】  被覆部材を用いることによりホッパのゲート以外の搬送装置も含めてその搬送面への粘着性物品の付着を防止しつつ、簡素な構成で清掃性や被覆部材の装着安定性等を向上することができる搬送装置及びそれを備えた計量装置を提供する。    【解決手段】  プールホッパのゲート４２において、物品搬送面としての底面４２ａの搬送方向ｃに沿った両側を折り曲げて起立する起立面４２ｂ，４２ｂを形成すると共に該起立面４２ｂ，４２ｂの折り曲げ基部に搬送方向ｃに長いスリット４２ｂ′，４２ｂ′を設ける。一方、概ねゲート４２の底面４２ａを覆う形状とされた付着防止用の被覆部材４４の搬送方向ｃに沿った両側部に前記スリット４２ｂ′，４２ｂ′に嵌り込んで係合する耳状の係合凸部４４ａ，４４ａを設け、ゲート４２に対して被覆部材４４を着脱自在に装着する。【選択図】    図４
2005096918.tif 000002
【特許請求の範囲】
【請求項１】
物品が接触する搬送面を有し、該搬送面に沿って物品の付着を防止するための被覆部材が着脱自在に装着されている搬送装置であって、前記搬送面の両側から折り曲げられて起立する起立面が形成されていると共に該起立面の折り曲げ基部にスリットが設けられており、かつ、前記被覆部材の搬送面に沿った両側部に前記スリットに係合する係合凸部が設けられていることを特徴とする搬送装置。
【請求項２】
物品が接触する搬送面を有し、該搬送面に沿って物品の付着を防止するための被覆部材が着脱自在に装着されている搬送装置であって、前記搬送面の両側から折り曲げられて起立する起立面が形成されていると共に該起立面の折り曲げ基部から所定距離だけ上縁部側の箇所にスリットが設けられており、かつ、前記被覆部材の搬送面に沿った両側部に前記スリットに係合する係合凸部が設けられていることを特徴とする搬送装置。
【請求項３】
前記起立面は、内方に鈍角状に折り曲げられていることを特徴とする請求項１または請求項２に記載の搬送装置。
【請求項４】
前記被覆部材は、可撓性を有すると共に表面に複数の凹部が形成されていることを特徴とする請求項１から請求項３のいずれかに記載の搬送装置。
【請求項５】
前記被覆部材は、メッシュ状とされていると共に端縁部にほつれ防止処理が施されていることを特徴とする請求項１から請求項４のいずれかに記載の搬送装置。
【請求項６】
物品の重量を計量する複数の計量手段と、該計量手段によって得られた計量値に基づいて組合せ演算を行う演算手段とを有し、組合せ演算によって選択された物品を集合することにより目標重量の物品を得る計量装置であって、請求項１から請求項５のいずれかに記載の搬送装置によって物品を搬送することを特徴とする計量装置。
【請求項７】
前記搬送装置は、上方で受け入れた物品を一旦保持したのち下方から排出するホッパに備えられて、上下に開口するホッパ本体の下部開口を開閉するゲートであることを特徴とする請求項６に記載の計量装置。
【請求項８】
前記搬送装置は、一端で受け入れた物品をほぼ水平方向に搬送して他端から排出するトラフであることを特徴とする請求項６に記載の計量装置。
【請求項９】
前記搬送装置は、上方で受け入れた物品を下方へ滑落させて排出するシュートであることを特徴とする請求項６に記載の計量装置。
【発明の詳細な説明】
【技術分野】
【０００１】
本発明は、特に粘着性を有する物品の搬送に適した搬送装置及びそれを備えた計量装置の改良に関し、物品処理の技術分野に属する。
【背景技術】
【０００２】
従来、各種物品を計量する計量装置として、例えば、複数の計量機にそれぞれ供給された物品の重量を計量すると共にそれらの計量値に基づいて組合せ演算を行うことにより、目標重量に計量された物品を得るようにした組合せ計量式のものがある。
【０００３】
この計量装置には、例えば上流側から順に、一端で受け入れた物品をほぼ水平に搬送して他端から排出する複数のトラフと、該トラフに対応して配置されて上方で受け入れた物品を下方から排出する複数の上下一対のプールホッパ及び計量ホッパと、該計量ホッパから受け入れた物品を下方へ滑落させて排出するシュートとを有するものがあり、供給された物品は、これらの器物つまり搬送装置の搬送面に直接接触しつつ目標重量に計量されたのち下流側の例えば包装機等に搬送されるようになっている。
【０００４】
その場合、前記物品が水分を多く含んだ食品のように粘着性を有するものであると、該物品は前記搬送装置の搬送面に付着して下流側に円滑に移動しないことがある。その結果、計量誤差を招いて目標重量の物品が得られなくなったり、衛生面から搬送装置の頻繁な清掃が必要となったりするという問題が生じることになる。
【０００５】
このような問題を解消するものの一例として、特許文献１には物品の付着を防止可能なホッパが記載されている。すなわち、図１１に示すように、このホッパの筒状本体の下部開口を開閉するゲートＡにおいて、物品を矢印ａ方向に搬送する搬送面を形成する底面Ａ１から起立する左右両側面Ａ２，Ａ２の上縁部に、一旦内方へ屈曲したのち底面Ａ１側へ折り曲げて鉤状とした係合凹部Ａ２′，Ａ２′が形成されている。一方、可撓性の有機材料でなるメッシュ状の被覆部材Ｂに底面Ｂ１から起立する左右両側面Ｂ２，Ｂ２が設けられていると共に、それらの上縁部は前記係合凹部Ａ２′，Ａ２′に係合する係合凸部Ｂ２′，Ｂ２′とされている。そして、被覆部材Ｂは搬送方向ａに沿って上流側からゲートＡに嵌め込まれている。
【０００６】
このように、係合凹凸部Ａ２′，Ａ２′，Ｂ２′，Ｂ２′間の係合を介して被覆部材ＢをゲートＡに着脱自在に装着することにより、物品との摩擦や接触面積が減少するため物品の付着が効果的に防止されると共に、被覆部材Ｂの取り外しが容易であるため清掃性が向上するようになる。
【０００７】
【特許文献１】特開平７−５５５４５号公報（図２及び図３）
【発明の開示】
【発明が解決しようとする課題】
【０００８】
ところで、前記ホッパないしゲートＡにしてもなお、以下の問題が生じることがある。
【０００９】
すなわち、鋭角状に折り曲げられた前記係合凹部Ａ２′，Ａ２′に物品や物品の断片が滞留すると、当該箇所の清掃は面倒なものとなり、ゲートＡの清掃性が損なわれるという問題がある。
【００１０】
また、ゲートＡは防錆面等からステンレス鋼板製であることが多く、清掃時に、鋭角状に折り曲げられた係合凹部Ａ２′，Ａ２′箇所で切創等の可能性があり、この点でも清掃性が損なわれるという問題がある。
【００１１】
さらに、被覆部材ＢをスライドさせてゲートＡに嵌め込むことにより装着するため、搬送方向ａに沿った装着位置が不安定になり、その結果、ゲートＡの底部Ａ１が露出して物品が付着する可能性が生じるという問題がある。
【００１２】
一方、このような問題を解消する方法として、クリップを用いて被覆部材をゲートに装着する方法があるが、その場合にはクリップの脱落や紛失、あるいは脱落したクリップの物品への混入、さらにクリップの清掃が必要になる等の問題が生じるようになる。
【００１３】
そこで、本発明は、以上の現状に鑑み、被覆部材を用いることによりホッパのゲート以外の搬送装置も含めてその搬送面への粘着性物品の付着を防止しつつ、簡素な構成で清掃性や被覆部材の装着安定性等を向上することができる搬送装置及びそれを備えた計量装置の提供を課題とする。
【課題を解決するための手段】
【００１４】
前記課題を解決するため、本発明は次のように構成したことを特徴とする。
【００１５】
まず、請求項１に記載の発明は、物品が接触する搬送面を有し、該搬送面に沿って物品の付着を防止するための被覆部材が着脱自在に装着されている搬送装置に関するもので、前記搬送面の両側から折り曲げられて起立する起立面が形成されていると共に該起立面の折り曲げ基部にスリットが設けられており、かつ、前記被覆部材の搬送面に沿った両側部に前記スリットに係合する係合凸部が設けられていることを特徴とする。
【００１６】
次に、請求項２に記載の発明は、物品が接触する搬送面を有し、該搬送面に沿って物品の付着を防止するための被覆部材が着脱自在に装着されている搬送装置に関するもので、前記搬送面の両側から折り曲げられて起立する起立面が形成されていると共に該起立面の折り曲げ基部から所定距離だけ上縁部側の箇所にスリットが設けられており、かつ、前記被覆部材の搬送面に沿った両側部に前記スリットに係合する係合凸部が設けられていることを特徴とする。
【００１７】
また、請求項３に記載の発明は、前記請求項１または請求項２に記載の搬送装置において、前記起立面は、内方に鈍角状に折り曲げられていることを特徴とする。
【００１８】
また、請求項４に記載の発明は、前記請求項１から請求項３のいずれかに記載の搬送装置において、前記被覆部材は、可撓性を有すると共に表面に複数の凹部が形成されていることを特徴とする。
【００１９】
また、請求項５に記載の発明は、前記請求項１から請求項４のいずれかに記載の搬送装置において、前記被覆部材は、メッシュ状とされていると共に端縁部にほつれ防止処理が施されていることを特徴とする。
【００２０】
一方、請求項６に記載の発明は、物品の重量を計量する複数の計量手段と、該計量手段によって得られた計量値に基づいて組合せ演算を行う演算手段とを有し、組合せ演算によって選択された物品を集合することにより目標重量の物品を得る計量装置に関するもので、前記請求項１〜５のいずれかに記載の搬送装置によって物品を搬送することを特徴とする。
【００２１】
また、請求項７に記載の発明は、前記請求項６に記載の計量装置において、前記搬送装置は、上方で受け入れた物品を一旦保持したのち下方から排出するホッパに備えられて、上下に開口するホッパ本体の下部開口を開閉するゲートであることを特徴とする。
【００２２】
また、請求項８に記載の発明は、前記請求項６に記載の計量装置において、前記搬送装置は、一端で受け入れた物品をほぼ水平方向に搬送して他端から排出するトラフであることを特徴とする。
【００２３】
そして、請求項９に記載の発明は、前記請求項６に記載の計量装置において、前記搬送装置は、上方で受け入れた物品を下方へ滑落させて排出するシュートであることを特徴とする。
【発明の効果】
【００２４】
まず、請求項１から請求項３に記載の発明によれば、被覆部材を搬送面に沿って装着することにより、特に粘着性を有する物品を搬送する場合に、搬送面への物品の付着を防止することができる。
【００２５】
その上で、従来のような係合凹部と係合凸部との係合ではなく、スリットと係合凸部との係合を介した簡素な構成の装着構造であるから、搬送装置への物品や物品の断片の滞留が抑制され、もって搬送装置の清掃性が向上するようになる。
【００２６】
また、搬送装置に従来のように鋭角状に折り曲げられた箇所がないから、清掃時に切創等の可能性は回避され、この点からも清掃性が向上するようになる。
【００２７】
また、スリットと係合凸部との係合を介した装着であることから、物品搬送中においても被覆部材の搬送方向に沿った装着位置が安定する、つまり被覆部材の装着安定性が向上するようになる。その結果、搬送面が露出して物品が付着する可能性は減少するようになる。
【００２８】
また、クリップを用いて被覆部材を搬送装置に装着するものではないから、その場合に懸念されたクリップの脱落や紛失、あるいは脱落したクリップの物品への混入、さらにクリップの清掃等の問題が生じることはない。
【００２９】
また、特に請求項２に記載の発明によれば、スリットが搬送面から所定距離だけ遠ざかった箇所に設けられているから、例えば非粘着性物品を搬送するため被覆部材を省略して当該搬送装置を用いる場合に、搬送面を搬送される物品のスリットからのこぼれ落ちが抑制されるようになり、汎用性のある搬送装置が実現されるようになる。
【００３０】
さらに、特に請求項３に記載の発明によれば、例えばトラフあるいはシュートのような搬送装置において、断面視コ字状あるいは湾曲状の搬送面とされると共に該搬送面の両側から折り曲げられた起立面が形成されており、被覆部材を前記搬送面に沿わせながら装着する場合に、前記起立面が内方に鈍角状に折り曲げられているから、断面視コ字状あるいは湾曲状とされて装着される被覆部材の係合凸部とトラフあるいはシュートの起立面に設けられたスリットとの係合が一層安定するようになる。
【００３１】
そして、請求項４に記載の発明によれば、可撓性を有する被覆部材を用いることにより、概ね両側部の係合凸部の分だけ搬送面より大サイズとされた被覆部材を搬送面に対して着脱する場合に、搬送方向に沿って容易に湾曲させて小サイズとすることができるから、着脱作業性が向上するようになる。また、例えば搬送面が断面視コ字状あるいは湾曲状とされている場合に、可撓性を有する被覆部材は搬送面に一層良好に沿うようになる。しかも、表面の複数の凹部により物品との接触面積が効果的に減少するようになり、物品の付着を良好に防止することができるようになる。
【００３２】
また、請求項５に記載の発明によれば、被覆部材をメッシュ状としたことにより、前記凹部が簡便かつ良好に得られるようになる。しかも、メッシュ状の被覆部材の場合、端縁部がほつれるとその断片が物品へ混入する可能性があるが、ほつれ防止処理を施したことにより、この可能性は効果的に回避されるようになる。
【００３３】
そして、請求項６に記載の発明によれば、前記請求項１〜５に記載の発明における作用と同様の作用が、供給された物品を目標重量に計量する計量装置において得られるようになる。
【００３４】
さらに、請求項７から請求項９に記載の発明によれば、計量装置に備えられた搬送装置がさらに具体化されることになり、とりわけ物品の付着防止が要求されるホッパのゲート、トラフ、あるいはシュートにおいて、前記請求項１から請求項５に記載の発明における作用と同様の作用が得られるようになる。
【発明を実施するための最良の形態】
【００３５】
以下、本発明の実施の形態に係る計量装置の一例として、組合せ計量装置について説明する。
【００３６】
図１に示すように、この組合せ計量装置１は、上流側から供給される物品を目標重量に計量したのち集合して下流側に排出するもので、フレームＦ上の複数の支持脚Ｌ…Ｌで支持された箱状の本体ケース１０を有し、該本体ケース１０に上流側から順に、供給された物品を分散させる加振式の分散テーブル２０と、該分散テーブル２０の周囲に円形配置された複数の加振式のトラフ３０…３０と、該トラフ３０…３０ごとに設けられた上下一対のプールホッパ４０…４０及び計量ホッパ５０…５０とが組み付けられている。また、計量ホッパ５０…５０ごとに個別シュート６０…６０が設けられており、さらに、個別シュート６０…６０の下端から排出される物品を集合する漏斗状の集合シュート７０がフレームＦ内部に設けられている。そして、制御部８０が本体ケース１０に内蔵されている。
【００３７】
また、各プールホッパ４０は、上下に開口する箱状の本体４１と下部開口を開閉する一対のゲート４２，４２とを有している。一方、各計量ホッパ５０は、上下に開口する箱状の本体５１と下部開口を開閉する一対のゲート５２，５２とを有し、ロードセル等でなる重量検出器５３に連結されている。
【００３８】
これにより、分散テーブル２０によって分散供給された物品はトラフ３０…３０の一端に受け入れられてほぼ水平方向に搬送されて他端から排出される。トラフ３０…３０から排出された物品はプールホッパ４０…４０に一旦保持されたのち、ゲート４２…４２が開くことにより下方の計量ホッパ５０…５０に排出され、該計量ホッパ５０…５０に一旦保持される。制御部８０は、計量ホッパ５０…５０に連結された重量検出器５３…５３から出力される計量信号を入力すると共にこれらの計量信号に基づいて組合せ演算を行い、目標重量となる物品を保持した計量ホッパ５０…５０の組合せを選択する。組合せに選択された計量ホッパ５０…５０のゲート５２…５２が開くことにより排出された物品はそれぞれ個別シュート６０…６０を滑落して集合シュート７０で集合され、ここに目標重量とされた物品が得られることになる。
【００３９】
その場合、プールホッパ４０…４０及び計量ホッパ５０…５０のゲート４２…４２，５２…５２には、粘着性物品の搬送面への付着を防止するための被覆部材が装着されている。両ホッパ４０，５０ないし両ゲート４２，５２の構成は比較的類似しているため、ここでは一例としてプールホッパ４０のゲート４２における被覆部材の装着構造について詳しく説明する。
【００４０】
図２に示すように、本体４１と一対のゲート４２，４２とを有するプールホッパ４０は、本体ケース１０から突出する支持部材１０ａに着脱自在に支持されている。その場合、本体４１は上部が４面で箱状とされると共に下部は対向する２面で構成されている。また、本体４１の一側面に、ゲート４２，４２に連結して該ゲート４２，４２を開閉するための開閉リンク機構４３が備えられている。一方、本体ケース１０には、開閉リンク機構４３を構成するレバー部材４３ａを支軸４３ｂを中心に矢印ｂ方向に回動させるプッシャ機構１０ｂが備えられている。すなわち、プッシャ機構１０ｂの作動を介してレバー部材４３ａが支軸４３ｂを中心に矢印ｂ方向に回動することにより、開閉リンク機構４３を構成するリンク部材４３ｃ，４３ｄに連結されたゲート４２，４２はそれぞれ支軸４３ｅ，４３ｆを中心に揺動し、鎖線と点線とで示すように本体４１の下部開口を開閉するようになっている。
【００４１】
図３及び図４に示すように、ゲート４２は、物品の搬送面を形成する底面４２ａと該底面４２ａの搬送方向ｃに沿った両側から折り曲げられて垂直方向に起立する側面視台形状の起立面４２ｂ，４２ｂとでなる本体４２ｃと、該本体４２ｃの背面に固設された取付部材４２ｄとを有している。この場合、ゲート４２は、取付部材４２ｄを介して前記開閉リンク機構４３のリンク部材４３ｃに取り付けられている。また、起立面４２ｂ，４２ｂの折り曲げ基部に搬送方向ｃに長い矩形状のスリット４２ｂ′，４２ｂ′が設けられている。そして、搬送面である底面４２ａに沿って被覆部材４４が着脱自在に装着されている。
【００４２】
被覆部材４４はゲート４２の底面４２ａを概ね覆う形状とされた可撓性を有するメッシュ状のプラスチック製部材であり、搬送方向ｃに沿った両側部に前記スリット４２ｂ′，４２ｂ′に嵌り込んで係合する耳状の係合凸部４４ａ，４４ａが設けられている。また、被覆部材４４の端縁部４４ｂには所定幅にわたってほつれ防止処理が施されている。このほつれ防止処理には、例えば溶着や接着剤塗布等の周知の方法が適用可能である。
【００４３】
以上の構成により、まず、被覆部材４４をゲート４２の搬送面である底面４２ａに沿って装着することにより、特に粘着性を有する物品を搬送する場合に、底面４２ａへの物品の付着を防止することができる。
【００４４】
その上で、従来のような係合凹部と係合凸部との係合ではなく、スリット４２ｂ′，４２ｂ′と係合凸部４４ａ，４４ａとの係合を介した簡素な構成の装着構造であるから、ゲート４２への物品や物品の断片の滞留が抑制され、もってゲート４２の清掃性が向上するようになる。
【００４５】
また、ゲート４２に従来のように鋭角状に折り曲げられた箇所がないから、清掃時に切創等の可能性は回避され、この点からも清掃性が向上するようになる。
【００４６】
また、スリット４２ｂ′，４２ｂ′と係合凸部４４ａ，４４ａとの係合を介した装着であることから、物品搬送中においても被覆部材４４の搬送方向ｃに沿った装着位置が安定する、つまり被覆部材４４の装着安定性が向上するようになる。その結果、搬送面である底面４２ａが露出して物品が付着する可能性は減少するようになる。
【００４７】
また、クリップを用いて被覆部材４４をゲート４２に装着するものではないから、その場合に懸念されたクリップの脱落や紛失、あるいは脱落したクリップの物品への混入、さらに新たにクリップの清掃等の問題が生じることはない。
【００４８】
そして、装着する被覆部材４４は可撓性を有することにより、図４に示すように、概ね両側部の係合凸部４４ａ，４４ａの分だけゲート４２の底面４２ａより大サイズとされた被覆部材４４を底面４２ａに対して着脱する場合に、搬送方向ｃに沿って容易に湾曲させて小サイズとすることができるから、着脱作業性が向上するようになる。
【００４９】
また、被覆部材４４をメッシュ状としたことにより、表面の複数の凹部が簡便かつ良好に得られ、物品との接触面積が効果的に減少するようになり、物品の付着を良好に防止することができるようになる。しかも、メッシュ状の被覆部材４４の場合、端縁部４４ｂがほつれるとその断片が物品へ混入する可能性があるが、該端縁部４４ｂにほつれ防止処理を施したことにより、この可能性は効果的に回避されるようになる。
【００５０】
次に、本発明に係るゲートの別の例について説明する。なお、前述した実施の形態と共通する構成要素に対しては、特に混乱を招かない限り同一符号を付すことにする。
【００５１】
図５及び図６に示すように、このゲート４２′では、スリット４２ｂ″，４２ｂ″は底面４２ａから折り曲げられて起立する起立面４２ｂ，４２ｂの折り曲げ基部から上縁部側に距離Ｄだけ離間した箇所に設けられており、該スリット４２ｂ″，４２ｂ″に被覆部材４４の両側部の係合凸部４４ａ，４４ａが嵌り込んで係合している。
【００５２】
これにより、粘着性物品を取り扱う場合にゲート４２′に被覆部材４４を装着して物品の付着を防止する一方、非粘着性物品を取り扱う場合に被覆部材４４を省略して当該ゲート４２′を用いても、スリット４２ｂ″，４２ｂ″が搬送面である底面４２ａから距離Ｄだけ遠ざかった箇所に設けられているから、前述した図３に示すゲート４２に比較して、底面４２ａに沿って搬送される物品のスリット４２ｂ″，４２ｂ″からのこぼれ落ちが抑制されるようになり、一層汎用性のあるゲート４２′が実現されるようになる。
【００５３】
なお、本発明をプールホッパ４０ないしゲート４２，４２′を例にとって詳しく説明したが、比較的類似する構成とされた計量ホッパ５０ないしゲート５２においても前述したと同様の作用が得られるようになる。
【００５４】
次に、本発明をトラフ３０に適用した場合について説明する。
【００５５】
図７及び図８に示すように、このトラフ３０は底面３０ａと該底面３０ａの搬送方向ｄに沿った両側から折り曲げられて上拡がり状に起立する側面３０ｂ，３０ｂと搬送方向ｄに直交する後方側面３０ｃとを有している。この場合、底面３０ａと両側面３０ｂ，３０ｂとで搬送面を形成している。また、搬送面の一部を構成する両側面３０ｂ，３０ｂから内方に向かって鈍角状に折り曲げられて起立する起立面３０ｄ，３０ｄが設けられていると共に該折り曲げ基部に長いスリット３０ｄ′，３０ｄ′が設けられている。
【００５６】
一方、概ね搬送面に沿う形状とされた被覆部材３１の両側部に、前記スリット３０ｄ′，３０ｄ′に嵌り込んで係合する耳状の係合凸部３１ａ，３１ａが設けられており、被覆部材３１は係合凸部３１ａ，３１ａとスリット３０ｄ′，３０ｄ′との係合を介し、湾曲状態でトラフ３０に装着されている。そして、この被覆部材３１には前述した被覆部材４４と同様、可撓性を有するメッシュ状のプラスチック製部材が適用され、さらに、端縁部には所定幅にわたってほつれ防止処理が施されている。
【００５７】
これにより、トラフ３０において搬送面の一部を構成する両側面３０ｂ，３０ｂから起立する起立面３０ｄ，３０ｄを内方に向けて鈍角状に折り曲げると共に折り曲げ基部にスリット３０ｄ′，３０ｄ′を設けたから、図８に示すように、断面視湾曲状とされて装着された被覆部材３１の係合凸部３１ａ，３１ａとトラフ３０のスリット３０ｄ′，３０ｄ′との係合が一層安定するようになる。また、被覆部材３１は可撓性を有することにより容易に湾曲状態となり、被覆部材３１は断面視コ字状とされた搬送面としてのトラフ３０の底面３０ａ及び両側面３０ｂ，３０ｂに一層良好に沿うようになる。もちろん、被覆部材３１を装着したことにより、トラフ３０の底面３０ａ及び両側面３０ｂ，３０ｂへの物品の付着が防止されるのはいうまでもない。
【００５８】
次に、本発明を個別シュート６０に適用した場合について説明する。
【００５９】
図９及び図１０に示すように、この個別シュート６０は底面６０ａと該底面６０ａの搬送方向ｅに沿った両側から折り曲げられて上拡がり状に起立する側面６０ｂ，６０ｂとを有している。この場合、底面６０ａと両側面６０ｂ，６０ｂとで搬送面を形成している。また、搬送面の一部を構成する両側面６０ｂ，６０ｂから内方に向かって鈍角状に折り曲げられて起立する起立面６０ｃ，６０ｃが設けられていると共に該折り曲げ基部に長いスリット６０ｃ′，６０ｃ′が設けられている。
【００６０】
一方、概ね搬送面に沿う形状とされた被覆部材６１の両側部に、スリット６０ｃ′，６０ｃ′に嵌り込んで係合する耳状の係合凸部６１ａ，６１ａが設けられており、被覆部材６１は係合凸部６１ａ，６１ａとスリット６０ｃ′，６０ｃ′との係合を介し、湾曲状態で個別シュート６０に装着されている。そして、この被覆部材６１には前述した被覆部材４４と同様、可撓性を有するメッシュ状のプラスチック製部材が適用され、さらに、端縁部には所定幅にわたってほつれ防止処理が施されている。
【００６１】
これにより、個別シュート６０において搬送面の一部を構成する両側面６０ｂ，６０ｂから起立する起立面６０ｃ，６０ｃを内方に向けて鈍角状に折り曲げると共に折り曲げ基部にスリット６０ｃ′，６０ｃ′を設けたから、図１０に示すように、断面視湾曲状とされて装着された被覆部材６１の係合凸部６１ａ，６１ａと個別シュート６０のスリット６０ｃ′，６０ｃ′との係合が一層安定するようになる。また、被覆部材６１は可撓性を有することにより容易に湾曲状態となり、被覆部材６１は断面視コ字状とされた搬送面としての個別シュート６０の底面６０ａ及び両側面６０ｂ，６０ｂに一層良好に沿うようになる。もちろん、被覆部材６１を装着したことにより、個別シュート６０の底面６０ａ及び両側面６０ｂ，６０ｂへの物品の付着が防止されるのはいうまでもない。
【００６２】
なお、本発明は前述した実施の形態に限定されるものではなく、例えば集合シュート８０の代わりにタイミングホッパを用い、該タイミングホッパの下部開口を開閉するゲートに被覆部材を装着しても良い。
【００６３】
また、計量ホッパ５０…５０の下方にさらにブースタホッパが備えられている場合、該ブースタホッパの下部開口を開閉するゲートに被覆部材を装着しても良い。
【００６４】
また、被覆部材３１，４４，６１において、係合凸部３１ａ，３１ａ，４４ａ，４４ａ，６１ａ，６１ａはそれぞれ搬送方向ｃ，ｄ，ｅに沿って左右に一つずつ設けられていたが、例えばトラフ、ゲート、個別シュート等の搬送装置の形状やサイズ等に応じて複数ずつ設けてもよい。その場合、トラフ、ゲート、個別シュートにはこれらの係合凸部に対応するように同数のスリットを設ければよい。
【００６５】
また、前記組合せ計量装置１では、トラフ３０…３０、プールホッパ４０…４０、計量ホッパ５０…５０、及び個別シュート６０…６０が円形配置されていたが、これらが水平方向に直線状に配置された組合せ計量装置に対しても本発明は適用可能である。
【産業上の利用可能性】
【００６６】
以上説明したように、本発明によれば、被覆部材を用いることによりホッパのゲート以外の搬送装置も含めてその搬送面への粘着性物品の付着を防止しつつ、簡素な構成で清掃性や被覆部材の装着安定性等を向上することができる搬送装置及びそれを備えた計量装置が提供される。すなわち、本発明は、特に粘着性を有する物品の搬送に適した搬送装置及びそれを備えた計量装置の改良に関し、物品処理の技術分野に広く好適である。
【図面の簡単な説明】
【００６７】
【図１】本発明の実施の形態に係る組合せ計量装置の概略側面図である。
【図２】プールホッパの側面図である。
【図３】被覆部材を装着したゲートの側面図である。
【図４】図３のＩＩ−ＩＩ線による矢視図である。
【図５】ゲートの別の例を示す側面図である。
【図６】図５のＩＩＩ−ＩＩＩ線による断面図である。
【図７】被覆部材を装着したトラフの側面図である。
【図８】図７のＩＶ−ＩＶ線による拡大断面図である。
【図９】被覆部材を装着した個別シュートの側面図である。
【図１０】図９のＶ−Ｖ線による拡大断面図である。
【図１１】従来の被覆部材を装着したゲートの斜視図である。
【符号の説明】
【００６８】
１            組合せ計量装置（計量装置）
３０          トラフ（搬送装置）
３０ａ        底面（搬送面）
３０ｂ        側面（搬送面）
３０ｄ        起立面
３０ｄ′      スリット
３１          被覆部材
３１ａ        係合凸部
４０          プールホッパ（ホッパ）
４２，４２′          ゲート（搬送装置）
４２ａ        底面（搬送面）
４２ｂ        起立面
４２ｂ′，４２ｂ″    スリット
４４          被覆部材
４４ａ        係合凸部
４４ｂ        端縁部
５０          計量ホッパ（ホッパ）
５２          ゲート（搬送装置）
５３          重量検出器（計量手段）
６０          個別シュート（搬送装置）
６０ａ        底面（搬送面）
６０ｂ        側面（搬送面）
６０ｃ        起立面
６０ｃ′      スリット
６１          被覆部材
６１ａ        係合凸部
８０          制御部（演算手段）
【図１】
2005096918.tif 000003
【図２】
2005096918.tif 000004
【図３】
2005096918.tif 000005
【図４】
2005096918.tif 000006
【図５】
2005096918.tif 000007
【図６】
2005096918.tif 000008
【図７】
2005096918.tif 000009
【図８】
2005096918.tif 000010
【図９】
2005096918.tif 000011
【図１０】
2005096918.tif 000012
【図１１】
2005096918.tif 000013